(57)【特許請求の範囲】
【請求項１】
病室内に設置されており、医療従事者を呼び出す際に使用される呼出操作部と、前記呼出操作部が操作された場合に呼出信号を生成する子機制御部とを備えたナースコール子機と、
前記病室の入口近傍の廊下側に設置され、前記ナースコール子機から呼出信号を入力すると報知を行う廊下灯報知部を備えた廊下灯と、
前記医療従事者によって使用され、前記ナースコール子機から呼出信号を入力すると報知を行う報知部と、前記報知部および前記廊下灯報知部の動作を停止させるとともに、前記ナースコール子機を呼出操作部が操作される前の状態に戻すために操作される復旧操作部とを備えたナースコール親機と、
前記病室内または前記病室の近傍に設置され、前記報知部および前記廊下灯報知部の動作を停止させるとともに、前記ナースコール子機を呼出操作部が操作される前の状態に戻すために操作される復旧操作装置と、
前記廊下灯報知部および前記報知部が動作している状態で前記復旧操作装置が操作された場合には、前記廊下灯報知部および前記報知部を直ちに停止させ、前記廊下灯報知部および前記報知部が動作している状態で前記復旧操作部が操作された場合には、前記廊下灯報知部を遅延させて停止させるとともに、前記報知部を直ちに停止させる制御装置と、
を備えたナースコールシステム。
【発明の詳細な説明】
【技術分野】
【０００１】
本発明は、患者が看護師などの医療従事者を呼び出し、医療従事者が呼び出しに応答するナースコールシステムに関する。
【背景技術】
【０００２】
一般的に、ナースコールシステムは、呼出ボタンなどにより構成される呼出操作部を有するナースコール子機を各病室内の各ベッドの近傍に設置するとともに、看護師などの医療従事者が常駐するナースステーションにナースコール親機を設置している。そして、患者がナースコール子機の呼出ボタンを操作した場合に、ナースコール子機からナースコール親機へ呼出信号を出力し、呼出信号を入力したナースコール親機にて呼び出しを報知するように構成されている。ここで、ナースコールシステムは、病院だけではなく、介護施設などでも使用される。
【０００３】
ナースコール親機には、ＬＥＤ（light-emitting  diode）などの表示灯と患者氏名を表示する表示欄とを備えた選局部を患者の数に応じて組み合わせたボード形のものが知られている。ボード形のナースコール親機は、ナースステーションの壁面などに取り付けられ、ナースステーション内の医療従事者がボード形親機に表示された情報を閲覧することが可能である。ここで、ナースコール子機から出力された呼出信号を入力したナースコール親機では、呼出信号に含まれ、ナースコール子機を識別するための子機識別情報により呼び出しを行ったナースコール子機を特定する。そして、特定されたナースコール子機を使用している患者に対応する選局部の表示灯を点灯または点滅させることで呼び出しを報知している。また、同時にナースコール親機に設けられたスピーカーから報知音を出力する。
【０００４】
ナースコール親機にて呼び出しが報知されると、これに気付いた医療従事者が応答する必要がある。そのため、ナースコール親機には、呼び出しの報知に応答するためのハンドセットが設けられている。呼び出しの報知が行われている場合に、医療従事者がハンドセットをオフフックすると、呼び出しの報知が停止し、ナースコール親機とナースコール子機（またはナースコール子機が設置された病室）との間で通話路が形成される。ここで、ナースコール子機（または病室）には、通話用のスピーカやマイクが設けられているため、患者と医療従事者との間で通話が可能となる。
【０００５】
このようなナースコールシステムでは、ナースコール子機とナースコール親機との間に廊下灯を設置することが一般的である。廊下灯は、ＬＥＤなどの発光手段により構成されており、各病室の入口近傍の廊下側の壁面や天井などに設置されている。そして、ナースコール子機により呼び出しが行われた場合に、廊下灯は点灯したり点滅したりして報知を行う。医療従事者は、廊下灯により呼び出しが行われている病室を把握することができる。また、上述した構成に加えて、医療従事者が携行する携帯端末（例えば、ＰＨＳ（Personal Handy phone System）端末など）とＰＢＸ（Private Branch Exchange：電話交換機）とを備えたナースコールシステムも提供されている。そして、ナースコール子機により呼び出しが行われた場合に、携帯端末は鳴動したり振動したりして報知を行う。医療従事者は、携帯端末により応答を行ったり、通話を行ったりすることができる。
【０００６】
ところで、ナースコール子機からの呼び出しに対して、ナースコール親機のハンドセットや携帯端末にて応答を行うと、ナースコール親機や廊下灯、携帯端末による報知が停止し、ナースコール子機にて再び呼び出しを行うことができる状態（いわゆる復旧状態）となる。また、廊下灯やナースコール子機の近傍に復旧ボタンを設置し、復旧ボタンの操作によりシステムを復旧状態にすることも知られている。
【０００７】
しかしながら、ナースコール親機や携帯端末で応答が行われると廊下灯による点灯や点滅も停止してしまうので、呼び出しを行った患者が居る病室の廊下が見通せるような場所で医療従事者が応答を行っていない場合には、呼び出しに応答して、呼び出しが行われた病室の近くへ駆けつけた医療従事者は、どの病室で呼び出しが行われたのかを直感的に把握することができなくなってしまうという問題があった。
【０００８】
このような問題を解決するために、病室に設けられたナースコール子機ごとの個別表示灯を設けた集合廊下灯に、病室内の個別表示灯を遅延して復旧させる復旧ボタンを備える技術が知られている（例えば、特許文献１など）。特許文献１に記載の技術を上述した従来技術に適用すると、ナースコール親機や携帯端末にて応答を行った場合に、廊下灯を遅延して復旧させるようにすることができる。
【０００９】
しかしながら、上述した従来技術では、廊下灯やナースコール子機などの近傍に復旧ボタンが設置されている場合でも廊下灯を遅延して復旧させているので、遅延した時間分だけ廊下灯が無駄に動作してしまうという問題があった。
【先行技術文献】
【特許文献】
【００１０】
【特許文献１】実開平６−３０８８７号公報
【発明の概要】
【発明が解決しようとする課題】
【００１１】
本発明は、このような問題を解決するために成されたものであり、廊下灯を無駄に動作させることなく、ナースコール子機の呼び出しに応答した医療従事者が呼び出しを行った病室を直感的に特定することができるようにすることを目的とする。
【課題を解決するための手段】
【００１２】
上述した課題を解決するために、本発明では、ナースコール子機により呼び出しが行われた場合に、ナースコール子機が設置されている病室の入口近傍の廊下側に設置された廊下灯およびナースコール親機にて報知を行い、呼び出しを行ったナースコール子機が設置されている病室内またはその病室の近傍にて報知を停止する操作が行われたときには、廊下灯による報知およびナースコール親機による報知を直ちに停止し、ナースコール親機にて報知を停止する操作が行われたときには、ナースコール親機による報知を直ちに停止し、廊下灯による報知を遅延させて停止するようにしている。
【発明の効果】
【００１３】
上記のように構成した本発明によれば、呼び出しが行われた場合に、呼び出しを行った病室の入口近傍の廊下側に設置されている廊下灯により報知が行われるので、医療従事者は呼び出しを行った病室を直感的に特定することができる。また、ナースコール親機にて報知を停止する操作が行われたときには、廊下灯の報知の停止が遅延するので、ナースコール親機にて報知を停止する操作を行った医療従事者が呼び出しを行った病室の近くに駆けつけるであろう時点でも廊下灯による報知が行われており、医療従事者は呼び出しを行った病室を直感的に特定することができる。また、病室内または病室の近傍にて報知を停止する操作が行われたときには、廊下灯の報知が直ちに停止するが、報知を停止する操作が呼び出しを行った病室内またはその病室の近傍にて行われるため、医療従事者が呼び出しを行った病室を特定する際の妨げにはならず、廊下灯による報知を無駄に行わせないようにすることができる。
【図面の簡単な説明】
【００１４】
【図１】本実施形態によるナースコールシステムの構成例を示すブロック図である。
【図２】本実施形態によるナースコールシステムの廊下灯の動作を示すフローチャートである。
【発明を実施するための形態】
【００１５】
以下、本発明の一実施形態を図面に基づいて説明する。図１は、本実施形態によるナースコールシステムの構成例を示すブロック図である。図１に示すナースコールシステムは、患者の病床近傍に設置され、患者によって使用されるナースコール子機１と、各病室の入口近傍の廊下側に設置され、その病室内のナースコール子機１を接続する廊下灯１０と、医療従事者が常駐するナースステーションなどに設置され、医療従事者によって使用されるナースコール親機２０とを備えて構成されている。
【００１６】
ここで、ナースコール子機１は、各病室内に病室内のベッドの数に応じて設置されている。また、ナースコール子機１は、子機制御部２、呼出操作部３、子機インターフェース４を備えて構成されている。また、廊下灯１０は、廊下灯制御部１１、廊下灯インターフェース１２、廊下灯報知部１３、廊下灯復旧操作部（特許請求の範囲の復旧操作装置に該当する）１４を備えて構成されている。また、ナースコール親機２０は、親機制御部（特許請求の範囲の制御装置に該当する）２１、親機インターフェース２２、記憶部２３、報知部２４、復旧操作部２５を備えて構成されている。
【００１７】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。なお、本実施形態では、呼出操作部３を呼出ボタンなどにより構成しているが、これに限定されない。例えば、患者の各種の動作を検出するためのセンサーなどを用いて呼出操作部３を構成するようにしても良い。
【００１８】
患者は、医療従事者を呼び出したい場合に、呼出操作部３の呼出ボタンを操作する。すると、子機制御部２は、呼出信号を生成する。ここで、呼出信号には、このナースコール子機１を他のナースコール子機１と識別するための子機識別情報が含まれる。また、子機識別情報としては、ベッド番号などの情報を用いる。また、呼出操作部３が操作されて、子機制御部２が呼出信号を生成すると、子機制御部２は、以降の呼出操作部３の操作を無効とする。すなわち、呼出操作部３が一度操作されると、呼出操作部３が続けて操作されても、子機制御部２が呼出信号を続けて生成することはない。この状態で、後述する廊下灯復旧信号または復旧信号を子機制御部２が入力すると、子機制御部２は呼出操作部３の操作を再び有効とする状態に戻す。
【００１９】
子機インターフェース４は、廊下灯１０を介してナースコール子機１とナースコール親機２０とを接続して通信を行うためのものである。ここで、子機インターフェース４は、子機制御部２により生成された呼出信号を廊下灯１０およびナースコール親機２０に出力する。また、子機インターフェース４は、廊下灯１０から廊下灯復旧信号を入力するとともに、廊下灯１０を介してナースコール親機２０から復旧信号を入力する。
【００２０】
次に、廊下灯１０の各構成要素について説明する。廊下灯制御部１１は、廊下灯１０の各構成要素を後述するように制御するためのものであり、ＣＰＵなどにより構成されている。廊下灯インターフェース１２は、ナースコール子機１およびナースコール親機２０を接続しており、ナースコール子機１から出力された呼出信号を入力したり、ナースコール親機２０から出力された後述する復旧信号を入力したりする。また、廊下灯インターフェース１２は、廊下灯制御部１１にて生成された廊下灯復旧信号やナースコール親機２０から入力した復旧信号をナースコール子機１へ出力したり、ナースコール子機１から入力した呼出信号をナースコール親機２０へ出力したりする。
【００２１】
廊下灯報知部１３は、ＬＥＤなどの表示灯により構成されており、ナースコール子機１により呼び出しが行われたことを報知する。ここで、廊下灯インターフェース１２がナースコール子機１から呼出信号を入力した場合、廊下灯制御部１１は、廊下灯報知部１３を動作させ、廊下灯報知部１３は表示灯を点灯させる。なお、本実施形態では、廊下灯報知部１３は、表示灯を点灯させることで報知を行っているが、これに限定されない。例えば、表示灯を点滅させることで報知を行うようにしても良い。また、本実施形態では、廊下灯報知部１３は表示灯により構成されているが、これに限定されない。例えば、廊下灯報知部１３がスピーカーや表示ディスプレイなどにより構成されるようにしても良い。
【００２２】
廊下灯復旧操作部１４は、廊下灯１０の筐体に設置されており、ボタンなどにより構成されている。廊下灯報知部１３が動作している状態で廊下灯復旧操作部１４が操作されると、廊下灯制御部１１は廊下灯復旧信号を生成するとともに廊下灯報知部１３の動作を停止させる。また、廊下灯制御部１１にて生成された廊下灯復旧信号は、廊下灯インターフェース１２によりナースコール子機１およびナースコール親機２０へ出力される。ここで、廊下灯復旧信号には、この廊下灯１０を他の廊下灯１０と識別するための識別情報が含まれる。
【００２３】
一方、廊下灯報知部１３が動作している状態で廊下灯インターフェース１２がナースコール親機２０から復旧信号を入力すると、廊下灯制御部１４は、所定時間が経過した後に廊下灯報知部１３の動作を停止させる。このように、廊下灯報知部１３が動作している状態で廊下灯復旧操作部１４が操作された場合には、廊下灯報知部１３は直ちに動作を停止し、廊下灯報知部１３が動作している状態で廊下灯インターフェース１２が復旧信号を入力した場合には、廊下灯報知部１３が所定時間だけ遅延して動作を停止する。ここで、所定時間は、ナースコール親機２０が設置されているナースステーションから廊下灯１０が設置されている病室までの距離と、医療従事者の歩く速さとに基づいて決められることが好ましいが、一般的には３分程度の時間となる。
【００２４】
次に、ナースコール親機２０の各構成要素について説明する。親機制御部２１は、ナースコール親機２０の各構成要素を後述するように制御するためのものであり、ＣＰＵなどにより構成されている。親機インターフェース２２は、ナースコール親機２０とナースコール子機１とを廊下灯１０を介して接続し、通信を行うためのものである。ここで、親機インターフェース２２は、ナースコール子機１から出力された呼出信号を、廊下灯１０を介して入力したり、廊下灯１０から出力された廊下灯復旧信号を入力したりする。また、親機インターフェース２２は、ナースコール子機１へ廊下灯１０を介して復旧信号を出力したり、廊下灯１０へ復旧信号を出力したりする。
【００２５】
記憶部２３は、メモリやハードディスクドライブにより構成されており、ナースコール子機１の子機識別情報と、そのナースコール子機１が接続されている廊下灯１０の識別情報とを関連付けて予め記憶している。
【００２６】
報知部２４は、スピーカーや表示ディスプレイ、表示灯などにより構成されており、ナースコール子機１により呼び出しが行われたことを報知する。ここで、親機インターフェース２２が呼出信号を入力した場合には、親機制御部２１は、呼出信号に含まれる子機識別情報を抽出し、その子機識別情報によって呼び出しを行ったナースコール子機１を特定し、報知部２４を報知させる。例えば、表示ディスプレイに子機識別情報を表示したり、特定されたナースコール子機１を使用している患者に対応する選局部の表示灯を点灯させたりして、報知部２４は呼び出しを報知する。
【００２７】
復旧操作部２５は、ナースコール親機２０の筐体に設置されており、ボタンなどにより構成されている。報知部２４が動作している状態で復旧操作部２５が操作された場合、親機制御部２１は復旧信号を生成するとともに報知部２４の動作を直ちに停止させる。ここで、親機制御部２１は、記憶部２３を参照して、呼出信号に含まれる子機識別情報に関連付けて記憶されている識別情報を抽出する。そして、親機制御部２１は、親機インターフェース２２を制御して、抽出した子機識別情報によって特定されるナースコール子機１へ生成した復旧信号を出力するとともに、抽出した識別情報によって特定される廊下灯１０へ生成した復旧信号を出力する。また、報知部２４が動作している状態で親機インターフェース２２が廊下灯１０から廊下灯復旧信号を入力した場合、親機制御部２１は報知部２４の動作を直ちに停止させる。
【００２８】
なお、本実施形態では、復旧操作部２５がボタンなどにより構成されているが、これに限定されない。例えば、ナースコール親機２０とナースコール子機１との間で通話が可能であり、ナースコール親機２０にハンドセットが設けられている場合には、ハンドセットにより操作されるフックスイッチを復旧操作部２５としても良い。すなわち、報知部２４が動作している状態で医療従事者がハンドセットをオフフックすると、フックスイッチの押下が解除されて、親機制御部２１が復旧信号を生成するとともに、報知部２４の動作を停止させる。
【００２９】
次に、本実施形態によるナースコールシステムの動作を説明する。図２は、本実施形態によるナースコールシステムの廊下灯１０の動作を示すフローチャートである。まず、廊下灯インターフェース１２が呼出信号を入力したか否かを廊下灯制御部１１にて調べる（ステップＳ１）。ここで、ナースコール子機１の呼出操作部３が操作されていない場合には、子機制御部２にて呼出信号が生成されないため、子機インターフェース４から呼出信号が出力されず、廊下灯インターフェース１２が呼出信号を入力することはない。一方、ナースコール子機１の呼出操作部３が操作された場合には、子機制御部２にて呼出信号が生成され、子機インターフェース４から呼出信号が出力されて、廊下灯インターフェース１２が呼出信号を入力する。
【００３０】
廊下灯インターフェース１２が呼出信号を入力していないと廊下灯制御部１１にて判断した場合には（ステップＳ１にてＮＯ）、ステップＳ１の処理を繰り返す。一方、廊下灯インターフェース１２が呼出信号を入力したと廊下灯制御部１１にて判断した場合には（ステップＳ１にてＹＥＳ）、廊下灯制御部１１は廊下灯報知部１３を動作させる（ステップＳ２）。廊下灯報知部１３が動作すると、呼び出しを行った患者が居る病室の入口近傍の廊下側に設置された表示灯が点灯する。
【００３１】
そして、廊下灯復旧操作部１４が操作されたか否かを廊下灯制御部１１にて調べる（ステップＳ３）。ここで、廊下灯復旧操作部１４は、廊下灯１０の筐体に設置されている。廊下灯復旧操作部１４が操作されたと廊下灯制御部１１にて判断した場合には（ステップＳ３にてＹＥＳ）、廊下灯制御部１１は、直ちに廊下灯報知部１３の動作を停止させる（ステップＳ４）。一方、廊下灯復旧操作部１４が操作されていないと廊下灯制御部１１にて判断した場合には（ステップＳ３にてＮＯ）、廊下灯インターフェース１２がナースコール親機２０から復旧信号を入力したか否かを廊下灯制御部１１にて調べる（ステップＳ５）。廊下灯インターフェース１２が復旧信号を入力していないと廊下灯制御部１１にて判断した場合には（ステップＳ５にてＮＯ）、ステップＳ３の処理に戻る。
【００３２】
一方、廊下灯インターフェース１２が復旧信号を入力したと廊下灯制御部１１にて判断した場合には（ステップＳ５にてＹＥＳ）、廊下灯制御部１１は、所定時間が経過した後に廊下灯報知部１３の動作を停止させる（ステップＳ６）。すなわち、所定時間が経過するまで、廊下灯報知部１３の表示灯は点灯し続ける。
【００３３】
以上詳しく説明したように、本実施形態によれば、ナースコール子機１の呼出操作部３が操作されて、子機制御部２が呼出信号を生成し、子機インターフェース４が子機制御部２にて生成された呼出信号を出力する。そして、呼出信号を入力した廊下灯１０では、廊下灯制御部１１が廊下灯報知部１３を動作させ、呼出信号を入力したナースコール親機２０では、親機制御部２１が報知部２４を動作させる。この状態で、呼び出しを行ったナースコール子機１が接続された廊下灯１０に設けられている廊下灯復旧操作部１４が操作された場合には、廊下灯制御部１１は、直ちに廊下灯報知部１３を停止させるようにしている。一方、この状態で、廊下灯インターフェース１２がナースコール親機２０から出力された復旧信号を入力した場合には、廊下灯制御部１１は、所定時間が経過した後に廊下灯報知部１３を停止させるようにしている。
【００３４】
これにより、ナースコール子機１により呼び出しが行われた場合に、そのナースコール子機１が接続された廊下灯にて報知が行われるので、医療従事者は呼び出しを行った病室を直感的に特定することができる。また、ナースコール親機２０にて報知を停止する操作が行われたときには、所定時間が経過した後に廊下灯１０の報知が停止するので、ナースコール親機２０にて報知を停止する操作を行った医療従事者が呼び出しを行った病室の近くに駆けつけるであろう時点でも廊下灯１０による報知が行われており、医療従事者は呼び出しを行った病室を直感的に特定することができる。一方、廊下灯復旧操作部１４にて報知を停止する操作が行われたときには、廊下灯１０の報知が直ちに停止するが、報知を停止する操作が呼び出しを行った病室内またはその病室の近傍にて行われるため、医療従事者が呼び出しを行った病室を特定する際の妨げにはならず、無駄に廊下灯報知部１３を動作させないようにすることができる。
【００３５】
なお、前述した実施形態では、廊下灯１０に設けられた廊下灯復旧操作部１４およびナースコール親機２０に設けられた復旧操作部２５によってのみ復旧の動作が行われているが、これに限定されない。例えば、医療従事者が携行する携帯端末により行われる応答の操作によって復旧の動作が行われるようにしても良い。この場合、携帯端末にて応答が行われた場合、ナースコール親機２０から復旧信号が出力される。すなわち、廊下灯制御部１１は、所定時間が経過した後に廊下灯報知部１３を停止させる。
【００３６】
また、前述した実施形態では、所定時間は固定されているが、これに限定されない。例えば、ナースステーションからの距離に応じて廊下灯１０ごとに所定時間を変更するようにしても良い。すなわち、ナースステーションから遠い病室に設置された廊下灯１０では、所定時間を長めに設定し、ナースステーションに近い病室に設置された廊下灯１０では、所定時間を短めに設定する。これにより、所定時間が適正なものとなる。
【００３７】
また、携帯端末を用いた変形例において、携帯端末の現在位置を検出し、携帯端末の位置に応じて所定時間を変更するようにしても良い。この場合、応答した携帯端末の位置に応じて所定時間が変更されるので、所定時間が適正なものとなる。
【００３８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３９】
１    ナースコール子機
２    子機制御部
３    呼出操作部
４    子機インターフェース
１０    廊下灯
１１    廊下灯制御部
１２    廊下灯インターフェース
１３    廊下灯報知部
１４    廊下灯復旧操作部
２０    ナースコール親機
２１    親機制御部
２２    親機インターフェース
２３    記憶部
２４    報知部
２５    復旧操作部
【図１】
0005618412.tif 000002
【図２】
0005618412.tif 000003